【事件の表示】
　特許第２９９４１４４号「切り替え型負荷器セット」の特許に対する特許異議の申立てについて、次のとおり決定する。
【結　論】
　特許第２９９４１４４号の請求項１に係る特許を維持する。
【理　由】
（１）手続きの経緯
　特許第２９９４１４４号に係る発明についての出願は、平成４年７月２１日の出願であって、平成１１年１０月２２日にその発明について特許の設定登録がなされた後、その特許について、特許異議申立人株式会社興研より特許異議の申立てがなされたものである。
　
（２）異議申立てについて
　ア．本件発明
　特許第２９９４１４４号の請求項１に係る発明は、その特許請求の範囲の請求項１に記載された次の事項により特定されるとおりのものである。
【請求項１】 電圧が７００Ｖ以下で容量が８００ＫＷ以下の低電圧小容量タイプをなし、段階的な容量切り替えを容量切替部（１０）で自在になす容量可変型負荷器（１２）と、該容量可変型負荷器（１２）に接続されたトランス（１４）と、トランス（１４）に設けられた接続端子（１５）と、各々接続端子（１７−１，１７−２，１７−３，・・・１７−ｎ）を有し、前記容量可変型負荷器（１２）と共に、並列接続された複数の固定負荷器（１６−１，１６−２，１６−３，・・・１６−ｎ）と、を備え、前記固定負荷器（１６−１，１６−２，１６−３，・・・１６−ｎ）は、複数の抵抗体が組み合わされて接続構成された回路（１８）を含み、発電機（２０）の出力電圧が印加される負荷器本体（２２）と、前記回路（１８）の耐電圧が発電機（２０）の出力電圧に相当するよう、回路（１８）内の抵抗体を操作に応じて接続切り替えする切替器（２４）と、を有してなり、前記容量切替部（１０）による容量切り替え、容量可変負荷器（１２）及び前記固定負荷器（１６−１，１６−２，１６−３，・・・１６−ｎ）の接続切り替えにより電圧と容量を可変可能とし、並びに固定負荷器（１６−１，１６−２，１６−３，・・・１６−ｎ）における切替器（２４）での回路（１８）の抵抗体接続切り替えにより電圧を可変可能として、高電圧大容量、高電圧小容量、低電圧大容量及び低電圧小容量型発電機の負荷試験を可能とした切り替え型負荷器セット。　　　　　　　　
　
　イ．申立ての理由の概要  　
　特許異議申立人は、証拠として甲第１号証（特開昭６２−２１９９０１号公報）、甲第２号証（実願昭６２−１７００２０号（実開平０１−７４５６９号）のマイクロフィルム）、甲第３号証（特開昭５７−６０２７０号公報）、甲第４号証（「岩波　理化学辞典　第３版」（１９７２−１２−１５）岩波書店　ｐ．１２４１）を提出し、請求項１に係る発明の特許は、第２９条第２項の規定に違反してなされたものであるから、請求項１に係る発明の特許を取り消すべき旨主張している。
　
　ウ．申立人が提出した甲号証の説明
　申立人が提出した甲第１号証には、次の事項が第２図、第５図及び第６図とともに記載されている。
（１）「測定制御器（５）は、前面の扉（５ａ）に発停用の押釦スイッチ（５ｂ）、電圧計（５ｃ）、周波数計（５ｄ）を配設しており、内部には、第６図にて示す制御回路（５ｅ）を配設している。
　第６図中、（Ｔ）はタイマー及び同接点、（ＭＳΔ１）（ＭＳΔ２）はΔ結線のリレー及び接点、（ＭＳＹ１）（ＭＳＹ２）はＹ結線のリレー及び接点、（ＰＢ１）（ＰＢ２）は起動押釦スイッチ、（ＣＢ１）（ＣＢ２）は停止押釦スイッチ、（５ｄ）は周波数計及び接点、（ＴＳ）はタンブラスイッチ及びその接点、（ＡＲ）は保持リレー及び接点（Ｅ１）（Ｅ２）は電源を示し、測定される発電機のスイッチングに影響されない点に接続されている。
　なお、抵抗体（３）に設けた各タップ（１２）は各コンセント（７ａ）（７ｂ）（７ｃ）にそれぞれ接続されており、ジャンパーコード（１５）の差し替えにより、それぞれ異なる値の電気抵抗を得ることができるようにしている。
　この発明の実施例は上記のように構成されており、性能試験される発電器（図示せず）を入力ターミナル（６）に接続し、起動押釦スイッチ（ＰＢ１）を押して接点を閉じると、タイマー（Ｔ）が起動すると共に、Ｙ結線状態で発電機と接続し、各抵抗体（３）を流れる電流により発熱して、温度変化に対する抵抗値の変化が極めて小さくなるいわゆる飽和温度に達する。また通電と同時に起動したタイマー（Ｔ）は、予め飽和温度に達する時間よりも僅かに長い時間に設定されており、設定時間に達すると、Ｙ結線用のリレー（ＭＳＹ１）を閉路すると共に、Δ結線用のリレー（ＭＳΔ１）を閉路して、各抵抗体（３）にΔ結線状態で発電機に接続される。
　上記のように測定される発電機の電力にて、まずＹ結線の電力、すなわちΔ結線時の約６０％の電力にて各抵抗体（３）の抵抗値が安定するまで予熱を行い、予熱終了後タイマー（Ｔ）にて自動的にΔ結線に切替えて測定を行うことにより、安定した性能測定が可能になる。
　また、ジャンパーコード（１５）の差し替えにより各抵抗体（３）の抵抗値を段階的に増減することができ、本実施例では、各抵抗回路（Ｒ１）（Ｒ２）の各コンセント（７ａ）（７ｂ）（７ｃ）に対し、それぞれ７５、１００、１２５ＫＶＡの電力測定に適する抵抗値となるように各タップ（１２）を接続しており、タンブラスイッチ（ＴＳ）を投入して両方の抵抗回路（Ｒ１）（Ｒ２）を並列状態にしたときは１５０，２００，２５０ＫＶＡの電力測定を行うことができる。」（第２頁右下欄第３行〜第３頁右上欄第１１行）
　
　この記載事項によると、甲第１号証には、
「容量が２５０ＫＶＡ以下の小容量タイプをなし、段階的な容量切り替えを制御回路（５ｅ）（容量切替部に相当。）で自在になす抵抗回路（Ｒ１，Ｒ２）（容量可変型負荷器に相当。）を備え、前記制御回路（５ｅ）による容量切り替え、により電圧と容量を可変可能とし、７５、１００、１２５、１５０、２００、２５０ＫＶＡの容量の発電機の負荷試験を可能とした切り替え型抵抗回路セット。」
が記載されていると認められる。
　
　申立人が提出した甲第２号証には、次の事項が第１図、第２図及び第７図とともに記載されている。
（１）「電話局、…さらに非常用電源としてエンジン駆動の３相交流２２０Ｖの発電機を設備している。…
　これらの電源設備の建設工事の竣工時には、その負荷試験として連続運転試験、過負荷試験等を行うを要する。」（第３頁第８行〜同第１７行）
（２）「（考案の目的）
　本考案は…簡単なスイッチ操作で所望の各電圧に対応して負荷試験を可能とするこの種疑似負荷装置を得ることをその目的とする。」（第４頁第１１行〜同第１５行）　
（３）「第１図は本考案装置の疑似負荷ユニットの電気的結線図である。
　図中ＲＵ１，ＲＵ２，ＲＶ１，ＲＶ２，ＲＷ１，ＲＷ２で示したのは６個の同じ抵抗体であり、…抵抗体は３の倍数に設ける。
Ｒ，Ｓ，Ｔ，Ｕ，Ｖ，（Ｐ１）、（Ｎ１）は本装置の入力端子であり、このうち端子Ｕと（Ｐ１）は同じものを共用している。ＮＦＢは無ヒューズブレーカであり、３相用３極構造のものを用いている。Ｂ１−Ｂ７は短絡バーであり、接続替えにより各種接続が得られるようにする。Ｓ１−Ｓ６は容量切替えスイッチであり、試験中次々に投入して容量を増加させるためのものである。」（第５頁第８行〜同第２０行）
（４）「第２図は３相２００Ｖ（２２０Ｖ）に対する結線を示す。
　第１図の回路で、ＮＦＢをオンとし、Ｓ１−Ｓ６をオフとし、短絡バー中Ｂ６，Ｂ７のみを閉じると３相星形結線が得られ、Ｒ，Ｓ，Ｔが３相入力端子として、またＶがニュートラル端子として使用できる。
　この場合電流容量を大とするにはかかる疑似負荷ユニットを複数個並列に接続すれば良い。すなわち、各並列装置のＲ，Ｓ，Ｔ各端子を並列接続する。このため各ユニットは箱型として上下に積重ねを便なるような構造にする。」（第６頁第７行〜同第１６行）
（５）「さらに大負荷が必要のときは前述の如く本ユニットを並列接続する。
　また微細調整が必要なときは各抵抗体自体に微細調整用抵抗体が並列となるように微細調整抵抗のユニットを並列に接続すれば良い。」（第７頁第９行〜同第１３行）
　
　この記載事項によると、甲第２号証には、
「各々入力端子（（Ｒ，Ｓ，Ｔ），（Ｒ，Ｓ，Ｔ），（Ｒ，Ｓ，Ｔ），・・・（Ｒ，Ｓ，Ｔ））を有し、並列接続された複数の疑似負荷ユニット（固定負荷器に相当。）と、を備え、前記疑似負荷ユニットは、複数の抵抗体（ＲＵ１，ＲＵ２，ＲＶ１，ＲＶ２，ＲＷ１，ＲＷ２）が組み合わされて接続構成された回路を含み、発電機の出力電圧が印加される負荷器本体と、前記回路の耐電圧が発電機の出力電圧に相当するよう、回路内の抵抗体（ＲＵ１，ＲＵ２，ＲＶ１，ＲＶ２，ＲＷ１，ＲＷ２）を操作に応じて接続切り替えする短絡バー（Ｂ１−Ｂ７）（切替器に相当。）と、を有してなり、疑似負荷ユニットの接続切り替えにより電圧と容量を可変可能とし、疑似負荷ユニットにおける短絡バー（Ｂ１−Ｂ７）での回路の抵抗体（ＲＵ１，ＲＵ２，ＲＶ１，ＲＶ２，ＲＷ１，ＲＷ２）接続切り替えにより電圧を可変可能として、種々の容量の発電機の負荷試験を可能とした切り替え型疑似負荷装置。」
が記載されていると認められる。　
　
　申立人が提出した甲第３号証には、次の事項が第１図とともに記載されている。
（１）「第１図…に示すように、真水、塩水、苛性ソーダ溶液または無水炭酸ソーダ溶液等の水２…、前記各電極６Ａ〜６Ｃを水２の中に挿入し、さらにエンジン８により駆動される３相発電機３の出力端子と前記電極６Ａ〜６Ｃとを、電源開閉器９、昇圧用変圧器４および気中開閉器１０を介して接続し、」（第１頁右欄第４行〜同第１４行）
（２）「発電機３の出力電圧が例えば２００〜４００Ｖの場合、これを変圧器４により例えば３０００〜６０００Ｖに昇圧して電極間に印加し、水の電気抵抗を利用して発電機３の負荷試験を行なう。」（第２頁左上欄第６行〜同第９行）
（３）「この発明によれば、発電機３の出力電圧を高電圧に変換して水槽１内の水２に挿入されている電極間に印加し、その水２の電気抵抗を利用して発電機３の負荷を試験するので、工事現場等において簡単な器具を用いて容易に負荷試験を行なうことができ、特に負荷用の電気抵抗として水を使用し、これに昇圧した高電圧を印加するので、試験中の水温の上昇および電気抵抗の変化が殆どなく大容量負荷を長時間安定してかけることができるので、正確な負荷試験を行なうことができる。しかも大容量発電機の場合は、定格電流が大きいので、電圧を高圧に変換しないときは電極および水槽が相当大きくなるが、この発明の場合は、発電機の出力電圧を高圧に変換して電流を小さくしているので、電極および水槽を小さくすることができ、また３相発生電圧のベクトル和はゼロとなり、水と水槽間には電圧が表われないので安全である等の効果が得られる」（第２頁右上欄第３行〜同第２０行）
　
　この記載事項によると、甲第３号証には、
「電気抵抗体としての水２（固定負荷器に相当。）に接続された昇圧用変圧器４（トランスに相当。）と、昇圧用変圧器４に設けられた接続端子と、を有してなり、発電機３の負荷試験を可能とした負荷器セット」
が記載されていると認められる。　
　
　申立人が提出した甲第４号証には、次の事項が記載されている。
（１）「変圧器…電磁誘導を利用して交流電圧を昇圧させる装置で、変成器、トランスともいう。」
　
　この記載事項によると、甲第４号証には、
「トランス」
が記載されていると認められる。　
（４）対比・判断
　請求項１に係る発明と申立人が提出した甲第１号証記載の発明とを対比すると、
両者は、
「容量が８００ＫＷ以下の小容量タイプをなし、段階的な容量切り替えを容量切替部で自在になす容量可変型負荷器を備え、前記容量切替部による容量切り替え、により電圧と容量を可変可能とし、小容量型発電機の負荷試験を可能とした切り替え型負荷器路セット。」
で一致し、
　
（Ａ）請求項１に係る発明では、容量可変型負荷器が電圧７００Ｖ以下の低電圧タイプのものであるのに対し、甲第１号証記載の発明では、抵抗回路（Ｒ１，Ｒ２）の電圧タイプが記載されていない点、
（Ｂ）請求項１に係る発明では、
電圧７００Ｖ以下の低電圧タイプの容量可変型負荷器に接続されたトランスと、
トランスに設けられた接続端子と、を備えているのに対し、
　甲第１号証記載の発明では、
これらを備えていない点、
（Ｃ）請求項１に係る発明では、
各々接続端子を有し、前記容量可変型負荷器と共に、並列接続された複数の固定負荷器と、を備え、
　前記固定負荷器は、複数の抵抗体が組み合わされて接続構成された回路を含み、発電機の出力電圧が印加される負荷器本体と、
前記回路の耐電圧が発電機の出力電圧に相当するよう、回路内の抵抗体を操作に応じて接続切り替えする切替器と、を有してなり、固定負荷器における切替器での回路の抵抗体接続切り替えにより電圧を可変可能としているのに対し、
　甲第１号証記載の発明では、
これらを備えていない点、
（Ｄ）請求項１に係る発明では、容量切替部による容量切り替え、に加えて、容量可変負荷器及び固定負荷器の接続切り替えによっても電圧と容量を可変可能としているのに対し、
　甲第１号証記載の発明では、制御回路による容量切り替えによってのみ電圧と容量を可変可能としている点、
（Ｅ）請求項１に係る発明では、高電圧大容量、高電圧小容量、低電圧大容量及び低電圧小容量型発電機の負荷試験が可能であるのに対し、
　甲第１号証記載の発明では、小容量型発電機のみの負荷試験が可能である点、
で相違する。
　
　そこで、上記相違点について検討すると、
　甲第３及び４号証には、トランスの記載があるが、このトランスを電圧７００Ｖ以下の低電圧タイプの容量可変型負荷器に接続することについては、記載も示唆もない（相違点（Ａ）、（Ｂ））。
　また、甲第２号証には、固定負荷器に相当する疑似負荷ユニット（相違点（Ｃ））、そして、疑似負荷ユニットの接続切り替えによって電圧と容量を可変可能とする点の記載はあるが、容量可変負荷器及び固定負荷器の接続切り替えによって電圧と容量を可変可能とする点については、記載も示唆もされていない（相違点（Ｄ））。
　したがって、甲第１号証に記載の切り替え型抵抗回路セットに、甲第３及び４号証に記載のトランス、そして、甲第２号証に記載の疑似負荷ユニットを組み合わせ、甲第１号証に記載の抵抗回路（Ｒ１，Ｒ２）を電圧７００Ｖ以下の低電圧で使用できるように、抵抗回路（Ｒ１，Ｒ２）にトランスを接続し、さらに、抵抗回路（Ｒ１，Ｒ２）及び疑似負荷ユニットの接続切り替えによっても電圧と容量を可変可能とし、高電圧大容量、高電圧小容量、低電圧大容量及び低電圧小容量型発電機の負荷試験が可能な切り替え型抵抗回路セットを構成することは、当業者が容易なし得るものではない。
　
　そして、請求項１に係る発明は、その技術的事項により明細書記載の効果を奏するものと認められる。
　
（５）むすび
　したがって、特許異議申立ての理由及び証拠によっては、請求項１に係る発明についての特許を取り消すことはできない。
　また、他に請求項１に係る発明についての特許を取り消すべき理由を発見しない。
　よって、結論のとおり決定する。
【異議決定日】
平成１２年１０月１０日（２０００．１０．１０）